(57)【要約】      （修正有）【課題】密着性に優れると共に、消臭性を有する粘着性被覆用品及び該消臭性を有する粘着性被覆用品を備えた人工肛門用排便パウチを提供する。【解決手段】本発明の消臭性を有する粘着性被覆用品１は、基材シート２、該基材シートの片面に粘着剤層３および該粘着剤層表面の中央部に貼着された繊維層４からなる粘着性被覆用品であって、前記繊維層に金属酸化物及び多孔質無機物を担持させてなり、前記基材シートの厚みが０．１ｍｍ〜０．３ｍｍであることを特徴とする。【選択図】図１
2018086127.tif 000002
【特許請求の範囲】
【請求項１】
基材シート、該基材シートの片面に粘着剤層および該粘着剤層表面の中央部に貼着された繊維層からなる粘着性被覆用品であって、前記繊維層に金属酸化物及び多孔質無機物を担持させてなり、前記基材シートの厚みが０．１ｍｍ〜０．３ｍｍであることを特徴とする消臭性を有する粘着性被覆用品。
【請求項２】
前記金属酸化物が酸化銅、酸化アルミニウム、酸化亜鉛から選ばれる少なくとも１種の金属酸化物である請求項１に記載の消臭性を有する粘着性被覆用品。
【請求項３】
前記多孔質無機物がゼオライト、酸化ケイ素から選ばれる少なくとも１種の多孔質無機物である請求項１又は２に記載の消臭性を有する粘着性被覆用品。
【請求項４】
前記金属酸化物の担持量が１ｇ／ｍ２〜３５ｇ／ｍ２である請求項１〜３のいずれか１項に記載の消臭性を有する粘着性被覆用品。
【請求項５】
前記多孔質無機物の担持量が１ｇ／ｍ２〜３５ｇ／ｍ２である請求項１〜４のいずれか１項に記載の消臭性を有する粘着性被覆用品。
【請求項６】
請求項１〜５のいずれか１項に記載の消臭性を有する粘着性被覆用品を備えることを特徴とする人工肛門用排便パウチ。
【発明の詳細な説明】
【技術分野】
【０００１】
本発明は、例えば、消臭性を有する粘着性被覆用品及び該消臭性を有する粘着性被覆用品を備えた人工肛門用排便パウチに関する。
【背景技術】
【０００２】
手術で肛門を切除した場合、排便を一時的に溜めるために人工肛門を装着する必要がある。人工肛門は排便をコントロールすることができないため、人工肛門に袋状の排泄物収容袋（パウチ）を取り付け、人工肛門から排泄される便を排便パウチに収容し、日常生活に支障がないようにする方法がとられている。
【０００３】
この排便パウチは密閉状態に形成しても、排便の臭気を排便パウチ内に閉じ込めるのは困難であり、排便パウチの開口部分から臭気が漏れ、本人はもちろん周りにも不快感を与えてしまう。このことが周囲に対する精神的な負担となって、人工肛門患者が社会復帰する上での大きな障害になっている。
【０００４】
そこで、これまでに排便パウチの排気孔に脱臭材が取り付けられた排泄物パウチ用脱臭材が開発されている。
【０００５】
例えば、特許文献１には、排泄物パウチの排気孔に硫黄系臭気除去用活性炭繊維からなる排泄物パウチ用脱臭材が開示されている。しかしながら、活性炭だけでは消臭能力が不十分であり、排便の臭気が周囲に漏れる恐れがある。さらに、活性炭繊維からなる脱臭材だけでは、排泄物パウチと脱臭材の密着性が悪く、使用しているうちに容易に剥離し、排便の臭気が周囲に漏れる恐れがある。
【先行技術文献】
【特許文献】
【０００６】
【特許文献１】特開２００２−１７７６４号公報
【発明の開示】
【発明が解決しようとする課題】
【０００７】
本発明は、かかる技術的背景を鑑みてなされたものであって、密着性に優れると共に、消臭性を有する粘着性被覆用品及び該消臭性を有する粘着性被覆用品を備えた人工肛門用排便パウチを提供することが目的である。
【課題を解決するための手段】
【０００８】
前記目的を達成するために、本発明は以下の手段を提供する。
【０００９】
[１]  基材シート、該基材シートの片面に粘着剤層および該粘着剤層表面の中央部に貼着された繊維層からなる粘着性被覆用品であって、前記繊維層に金属酸化物及び多孔質無機物を担持させてなり、前記基材シートの厚みが０．１ｍｍ〜０．３ｍｍであることを特徴とする消臭性を有する粘着性被覆用品。
【００１０】
[２] 前記金属酸化物が酸化銅、酸化アルミニウム、酸化亜鉛から選ばれる少なくとも１種の金属酸化物である前項１に記載の消臭性を有する粘着性被覆用品。
【００１１】
[３]前記多孔質無機物がゼオライト、酸化ケイ素から選ばれる少なくとも１種の多孔質無機物である前項１又は２に記載の消臭性を有する粘着性被覆用品。
【００１２】
[４] 前記金属酸化物の担持量が１ｇ／ｍ２〜３５ｇ／ｍ２である前項１〜３のいずれか１項に記載の消臭性を有する粘着性被覆用品。
【００１３】
[５] 前記多孔質無機物の担持量が１ｇ／ｍ２〜３５ｇ／ｍ２である前項１〜４のいずれか１項に記載の消臭性を有する粘着性被覆用品。
【００１４】
[６] 前項１〜５のいずれか１項に記載の消臭性を有する粘着性被覆用品を備えることを特徴とする人工肛門用排便パウチ
【発明の効果】
【００１５】
[１]の発明では、基材シート、基材シートの片面に粘着剤層および粘着剤層表面の中央部に貼着された繊維層からなる粘着性被覆用品であって、繊維層に金属酸化物及び多孔質無機物を担持させているから、消臭性に優れている。さらに、基材シートの厚みが０．１ｍｍ〜０．３ｍｍであるから、基材シートが容易に剥離したりせず、人工肛門用排便パウチとの密着性に優れている。
【００１６】
[２]の発明では、金属酸化物が酸化銅、酸化アルミニウム、酸化亜鉛から選ばれる少なくとも１種の金属酸化物であるから、消臭性能を向上させることができる。
【００１７】
[３]の発明では、多孔質無機物がゼオライト、酸化ケイ素から選ばれる少なくとも１種の多孔質無機物であるから、消臭性能を向上させることができる。
【００１８】
[４]の発明では、金属酸化物の担持量が１ｇ／ｍ２〜３５ｇ／ｍ２であるから、消臭性能をさらに向上させることができる。
【００１９】
[５]の発明では、多孔質無機物の担持量が１ｇ／ｍ２〜３５ｇ／ｍ２であるから、消臭性能をさらに向上させることができる。
【００２０】
[６]の発明では、消臭性を有する粘着性被覆用品を備えているから、人工肛門用排便パウチの排気孔に取り付けて、優れた消臭性能を発揮することができる。
【図面の簡単な説明】
【００２１】
【図１】本発明に係る消臭性を有する粘着性被覆用品の一実施形態を示す断面図である。
【図２】本発明に係る消臭性を有する粘着性被覆用品の一実施形態を示す底面図である。
【図３】本発明に係る消臭性を有する粘着性被覆用品を備えることを特徴とする人工肛門用排便パウチの一実施形態を示す断面図である。
【発明を実施するための最良の形態】
【００２２】
本発明に係る消臭性を有する粘着性被覆用品の一実施形態を図面に基づいて説明する。図１に示すように、本実施形態の消臭性を有する粘着性被覆用品１は、基材シート２、該基材シート２の片面に粘着剤層３および該粘着剤層３表面の中央部に貼着された繊維層４からなる粘着性被覆用品であって、前記繊維層４に金属酸化物及び多孔質無機物を担持させてなり、前記基材シート２の厚みが０．１ｍｍ〜０．３ｍｍであることを特徴とする。
【００２３】
基材シート２としては、適度の通気性と柔軟性と強度を有するものであれば特に限定されない。例えば、綿、スフ、麻、化学繊維などからなる織布、軟質ポリ塩化ビニル、ポリエチレン、ポリウレタンなどのプラスチックフィルム、レーヨン、ポリエステル、ナイロン、ポリプロピレンなどの不織布、和紙などを挙げることができる。中でも一般に創傷の包帯の裏打ち材層に使用されている柔軟な薄層フィルムなどであることがより好ましく、特に好ましい基材シートに使用するフィルムとしては、透湿性の弾性フィルムであり、例えばポリエーテルポリウレタン、ポリエステルポリウレタン、親水性ポリウレタン、軟質ポリエチレン、ポリプロピレン、ポリエステル、ポリエステルポリエーテル等の薄層フィルムを挙げることができる。またこれらの多層フィルムシートを使用することができる。
【００２４】
前記基材シート２の片面に粘着剤層３および該粘着剤層３表面の中央部に貼着された繊維層４からなる必要がある。
【００２５】
前記繊維層４の周囲が、前記粘着剤層３に囲まれている必要がある。これにより、人工肛門用排便パウチ６との密着性を向上させることができ、人工肛門用排便パウチ６に消臭性を有する粘着性被覆用品１を貼り付けても、容易には剥離しなくできる。
【００２６】
前記粘着剤層３に用いられる樹脂成分としては、特に限定されるものではないが、例えば、天然ゴムなどのゴム系、アクリル系、ポリイソブチレン系、シリコーン系などが挙げられる。通常、絆創膏に使用されている感圧粘着剤を使用することができる。
【００２７】
前記繊維層４としては、特に限定されるものではないが、例えば、不織布、ガーゼなどが挙げられ、中でも不織布を用いることがより好ましい。
【００２８】
前記繊維層４に用いられる繊維としては、ポリエステル、ポリプロピレンなどが挙げられる。
【００２９】
前記繊維層４の形状としては、長方形、四隅を丸めた長方形、一端または両端にテーパをつけた形状、楕円形などの形状を適宜採用することができる。
【００３０】
図２に示すように、前記繊維層４の幅Ｂは、前記繊維層４が貼着される前記粘着剤層３の幅Ａの０．３倍〜０．６倍であることが好ましい。０．３倍未満では、前記繊維層４が細くなりすぎ、人工肛門用排便パウチ６の排気孔５を覆うことができないため好ましくなく、０．６倍を越えても、前記繊維層４の両側の粘着剤層３の幅が不十分となり、屈曲を繰り返したとき、消臭性を有する粘着性被覆用品１が人工肛門用排便パウチ６から剥がれてしまうので好ましくない。
【００３１】
前記繊維層４の目付としては、３０ｇ／ｍ２〜６０ｇ／ｍ２であることが好ましい。この場合、人工肛門用排便パウチ６の排気孔５全体を覆うことができる。３０ｇ／ｍ２以上であることで通過する空気との接触効率を良くすることができ、６０ｇ／ｍ２未満とすることで通気性を確保することができ、中でも、４０ｇ／ｍ２〜５０ｇ／ｍ２であることがより好ましい。
【００３２】
前記繊維層４に金属酸化物及び多孔質無機物を担持させてなることが必要である。
【００３３】
前記金属酸化物が酸化銅、酸化アルミニウム、酸化亜鉛から選ばれる少なくとも１種の金属酸化物であることが好ましく、中でも酸化銅を用いることがより好ましい。
【００３４】
前記多孔質無機物がゼオライト、酸化ケイ素から選ばれる少なくとも１種の多孔質無機物であることが好ましく、中でも酸化ケイ素を用いることがより好ましい。
【００３５】
前記金属酸化物の担持量が前記繊維層４に対して１ｇ／ｍ２〜３５ｇ／ｍ２であることが好ましい。１ｇ／ｍ２未満では消臭効果が得られず、３５ｇ／ｍ２超えても繊維層４内の空隙が埋められて、通気性が低下するため好ましくない。中でも、２０ｇ／ｍ２〜２５ｇ／ｍ２であることがより好ましい。
【００３６】
前記多孔質無機物の担持量が前記繊維層４に対して１ｇ／ｍ２〜３５ｇ／ｍ２であることが好ましい。１ｇ／ｍ２未満では消臭効果が得られず、３５ｇ／ｍ２超えても繊維層４内の空隙が埋められて、通気性が低下するため好ましくない。中でも、２０ｇ／ｍ２〜２５ｇ／ｍ２であることがより好ましい。
【００３７】
前記繊維層４に前記金属酸化物を担持させる方法としては、特に限定されるものではないが、噴射機を用いて噴射して担持させる方法、液に基材を浸漬して担持させる方法等が挙げられる。
【００３８】
前記基材シート２の厚みが０．１ｍｍ〜０．３ｍｍであることが必要である。０．１ｍｍ未満であると耐久性が悪くなり、０．３ｍｍを超えても密着性が悪くなるため好ましくない。中でも０．１５ｍｍ〜０．２ｍｍであることがより好ましい。
【００３９】
図３に示すように、前記消臭性を有する粘着性被覆用品１を人工肛門用排便パウチ６の排気孔５に装着する際は、排気孔５全体を覆うように密着させることが好ましい。
【００４０】
人工肛門用排便パウチとは、結腸フイステル形成また回腸フイステル形成もしくは他の種類の袋もしくはパウチを意味し、使用者の小孔から排出される廃棄物（ふん便）を受容するため使用者に着用されることを意図するものである。
【００４１】
前記人工肛門用排便パウチ６の排気孔５内には、活性炭からなる脱臭剤が設置されていることが好ましい。活性炭からなる脱臭剤と消臭性を有する粘着性被覆用品１を併用させることで、より消臭効果を高めることができる。
【実施例】
【００４２】
次に、本発明の具体的実施例について説明するが、本発明はこれら実施例のものに特に限定されるものではない。
【００４３】
＜実施例１＞
繊維層４としては、ポリプロピレン製の不織布（目付５０ｇ／ｍ２）を用いた。次に、酸化銅を１０％、酸化ケイ素を１０％、水を８０％の割合で混合させて、酸化銅の濃度が１０％及び酸化ケイ素の濃度が１０％の加工液を作成した。その後、ポリプロピレン製の不織布に、作成した加工液をスプレー塗布させたのち、乾燥工程を行い、不織布に金属酸化物及び多孔質無機物を担持させた。なお、金属酸化物の担持量は２５ｇ／ｍ２、多孔質無機物の担持量は２５ｇ／ｍ２であった。
次にポリウレタン製の基材シート（厚み０．１７ｍｍ、幅２５ｍｍ、長さ４０ｍｍ）の裏面に、粘着剤層３としてアクリル樹脂を５ｇ／ｍ２（乾燥後）塗布した後、幅１０ｍｍ×長さ２０ｍｍにカットした繊維層４を積層させて、乾燥工程を行い、図１に示す消臭性を有する粘着性被覆用品１を得た。
【００４４】
＜実施例２＞
多孔質無機物としてゼオライトに設定した以外は、実施例１と同様にして、図１に示す消臭性を有する粘着性被覆用品１を得た。
【００４５】
＜実施例３＞
繊維層への金属酸化物の担持量を５ｇ／ｍ２に設定した以外は、実施例１と同様にして、図１に示す消臭性を有する粘着性被覆用品１を得た。
【００４６】
＜実施例４＞
繊維層への金属酸化物の担持量を５ｇ／ｍ２、繊維層への多孔質無機物の担持量を５ｇ／ｍ２に設定した以外は、実施例１と同様にして、図１に示す消臭性を有する粘着性被覆用品１を得た。
【００４７】
＜実施例５＞
基材シートの厚みを０．３ｍｍに設定した以外は、実施例１と同様にして、図１に示す消臭性を有する粘着性被覆用品１を得た。
【００４８】
＜実施例６＞
繊維層の目付を７０ｇ／ｍ２に設定した以外は、実施例１と同様にして、図１に示す消臭性を有する粘着性被覆用品１を得た。
【００４９】
＜実施例７＞
金属酸化物として酸化アルミニウムに設定した以外は、実施例１と同様にして、図１に示す消臭性を有する粘着性被覆用品１を得た。
【００５０】
＜実施例８＞
金属酸化物として酸化アルミニウム、多孔質無機物としてゼオライトに設定した以外は、実施例１と同様にして、図１に示す消臭性を有する粘着性被覆用品１を得た。
【００５１】
＜比較例１＞
粘着剤層を積層しない設定にした以外は、実施例１と同様にして、粘着性被覆用品を得た。
【００５２】
＜比較例２＞
繊維層を積層しない設定にした以外は、実施例１と同様にして、粘着性被覆用品を得た。
【００５３】
＜比較例３＞
金属酸化物を使用しない設定にした以外は、実施例１と同様にして、粘着性被覆用品を得た。
【００５４】
＜比較例４＞
多孔質無機物を使用しない設定にした以外は、実施例１と同様にして、粘着性被覆用品を得た。
【００５５】
＜比較例５＞
金属酸化物及び多孔質無機物を使用しない設定にした以外は、実施例１と同様にして、粘着性被覆用品を得た。
【００５６】
＜比較例６＞
基材シートの厚みを０．０５ｍｍに設定にした以外は、実施例１と同様にして、粘着性被覆用品を得た。
【００５７】
＜比較例７＞
基材シートの厚みを０．５ｍｍに設定にした以外は、実施例１と同様にして、粘着性被覆用品を得た。
【００５８】
【表１】
2018086127.tif 000003
【００５９】
上記のようにして得られた各消臭性を有する粘着性被覆用品に対して、下記評価方法に基づいて評価を行った。これらの評価結果を表１に示す。
【００６０】
＜消臭性評価法（アンモニア）＞
排気孔を有するバッグ（大きさ１０Ｌ）の排気孔に各消臭性を有する粘着性被覆用品を貼り付け、対象ガスとしてアンモニア（初期濃度８．５ｐｐｍ）を６Ｌ投入した。流速０．２リットル／ｍｉｎでアンモニアガスを６Ｌ通過させた。６Ｌのアンモニアガスが各消臭性を有する粘着性被覆用品を通過した後、各消臭性を有する粘着性被覆用品の下流側に位置する検知管測定口から取り出したアンモニアガス濃度（Ｘ）を検知管で測定し、下記算出式に基づき、アンモニアの消臭率（％）を算出した。
アンモニアの消臭率（％）＝｛（８．５−Ｘ）／８．５｝×１００アンモニアの消臭率が８０％以上を「◎」、７０％以上８０％未満を「○」、６０％以上７０％未満を「△」、６０％未満を「×」とし、「○」以上を合格とした。
【００６１】
＜消臭性評価法（メチルメルカプタン）＞
排気孔を有するバッグ（大きさ１０Ｌ）の排気孔に各消臭性を有する粘着性被覆用品を貼り付け、対象ガスとしてメチルメルカプタン（初期濃度７ｐｐｍ）を６Ｌ投入した。流速０．２リットル／ｍｉｎでメチルメルカプタンガスを６Ｌ通過させた。６Ｌのメチルメルカプタンガスが各消臭性を有する粘着性被覆用品を通過した後、各消臭性を有する粘着性被覆用品の下流側に位置する検知管測定口から取り出したメチルメルカプタン濃度（Ｙ）を検知管で測定し、下記算出式に基づき、メチルメルカプタンの消臭率（％）を算出した。
メチルメルカプタンの消臭率（％）＝｛（７−Ｙ）／７｝×１００
メチルメルカプタンの消臭率が４０％以上を「◎」、３０％以上４０％未満を「○」、２０％以上３０％未満を「△」、２０％未満を「×」とし、「○」以上を合格とした。
【００６２】
＜消臭性評価法（酢酸）＞
排気孔を有するバッグ（大きさ１０Ｌ）の排気孔に各消臭性を有する粘着性被覆用品を貼り付け、対象ガスとして酢酸（初期濃度１０ｐｐｍ）を６Ｌ投入した。  流速０．２リットル／ｍｉｎで酢酸ガスを６Ｌ通過させた。６Ｌの酢酸ガスが各消臭性を有する粘着性被覆用品を通過した後、各消臭性を有する粘着性被覆用品の下流側に位置する検知管測定口から取り出した酢酸濃度（Ｚ）を検知管で測定し、下記算出式に基づき、酢酸の消臭率（％）を算出した。
酢酸の消臭率（％）＝｛（１０−Ｚ）／１０｝×１００
酢酸の消臭率が７０％以上を「◎」、６０％以上７０％未満を「○」、５０％以上６０％未満を「△」、５０％未満を「×」とし、「○」以上を合格とした。
【００６３】
＜密着性評価法＞
幅５ｃｍ×長さ２０ｃｍにカットした人工肛門用排便パウチに各消臭性を有する粘着性被覆用品を長さ方向に貼り付け、ＪＩＳ  Ｌ  ０８４９−２０１３の学振型摩耗試験機を利用し、摩擦子（表面半径４５ｍｍの円筒状の曲面）、荷重２Ｎ、往復速度３０回／分、１００回往復させた後、消臭性を有する粘着性被覆用品の端部剥離状態を目視で判定した。剥離が認められなかったものを「○」、剥離が認められたものを「×」とし、「○」以上を合格とした。
【００６４】
表１から明らかなように、本発明の実施例１〜８の消臭性を有する粘着性被覆用品は、消臭性及び密着性に優れていた。
【００６５】
これに対して比較例１の粘着性被覆用品は、粘着剤層を積層していないので繊維層と接着できず、消臭性を測定できず、粘着剤層がないので密着性に劣っていた。比較例２の粘着性被覆用品は消臭性が劣っていた。比較例３の粘着性被覆用品は消臭性が劣っていた。比較例４の粘着性被覆用品は消臭性が劣っていた。比較例５の粘着性被覆用品は消臭性が劣っていた。比較例６の粘着性被覆用品は密着性が劣っていた。比較例７の粘着性被覆用品は密着性が劣っていた。
【産業上の利用可能性】
【００６６】
本発明に係る消臭性を有する粘着性被覆用品、例えば、人工肛門用排便パウチ等の消臭フィルターとして好適である。
【符号の説明】
【００６７】
１・・・消臭性を有する粘着性被覆用品
２・・・基材シート
３・・・粘着剤層
４・・・繊維層
５・・・排気孔
６・・・人工肛門用排便パウチ
Ａ・・・粘着剤層の幅
Ｂ・・・繊維層の幅
【図１】
2018086127.tif 000004
【図２】
2018086127.tif 000005
【図３】
2018086127.tif 000006